(57)【要約】【課題】光の放射範囲を広げること。【解決手段】実施形態に係る照明装置は、発光部と、発光部で発生した光を出射する発光面を備えるガラス基板とを有し、壁面に近接して配置される光源と、光源の発光面と側面とを覆い、ガラス基板と組成が異なる部材によって形成される凹凸形状のカバー部材と、を具備し、発光部で発生し、ガラス基板を発光面に沿う方向に導光してカバー部材に入光し、カバー部材から出射する光と、ガラス基板の発光面を出射してカバー部材を発光面に沿う方向に導光してカバー部材から出射する光とが、壁面に照射される。【選択図】図１
2016066489.tif 000002
【特許請求の範囲】
【請求項１】
発光部と、前記発光部で発生した光を出射する発光面を備えるガラス基板とを有し、壁面に近接して配置される光源と；
前記光源の前記発光面と側面とを覆い、前記ガラス基板と組成が異なる部材によって形成される凹凸形状のカバー部材と；
を具備し、
前記発光部で発生し、前記ガラス基板を前記発光面に沿う方向に導光して前記カバー部材に入光し、当該カバー部材から出射する光と、前記ガラス基板の前記発光面を出射して前記カバー部材を前記発光面に沿う方向に導光して当該カバー部材から出射する光とが、前記壁面に照射されることを特徴とする照明装置。
【請求項２】
前記カバー部材は、
前記ガラス基板と透過スペクトルが異なる部材によって形成されたことを特徴とする請求項１に記載の照明装置。
【請求項３】
前記光源は、
前記ガラス基板が白色に着色され、
前記カバー部材は、
青色に着色された
ことを特徴とする請求項１または２に記載の照明装置。
【発明の詳細な説明】
【技術分野】
【０００１】
本発明の実施形態は、照明装置に関する。
【背景技術】
【０００２】
近年では、照明装置の光源として、有機ＥＬ（Ｅｌｅｃｔｒｏ−Ｌｕｍｉｎｅｓｃｅｎｃｅ）を利用した有機発光ダイオード、即ち、ＯＬＥＤ（Ｏｒｇａｎｉｃ  Ｌｉｇｈｔ−Ｅｍｉｔｔｉｎｇ  Ｄｉｏｄｅ）が知られている。ＯＬＥＤを用いたＯＬＥＤパネルは、陽極と陰極との間に発光層が配設されており、陽極から正孔を注入し、陰極から電子を注入し、発光層でこれらを再結合することにより、その時に発生するエネルギによって発光する。
【０００３】
一般的なＯＬＥＤパネルの製造方法では、まず、１枚のマザーガラス内に、陽極にはＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）、導電性高分子などの透明電極を用い、陰極にはＡＬやＡｇ等の不透明な電極を順次成膜する。その後、封止キャップをＵＶ硬化樹脂等で接着することで複数のＯＬＥＤパネルを作製する。なお、作製されたＯＬＥＤパネルは、スクライブ装置等で切り出して小分けにされる。
【０００４】
この種のＯＬＥＤパネルは、照明装置として例えば壁面などに設置される。ＯＬＥＤパネルは面光源であるため、単に壁面で面発光する照明装置として使用されるのが一般的であった。
【先行技術文献】
【特許文献】
【０００５】
【特許文献１】特開２００８−１８６５９９号公報
【特許文献２】特開２００９−２０６０２８号公報
【発明の概要】
【発明が解決しようとする課題】
【０００６】
本発明が解決しようとする課題は、光の放射範囲を広げることができる照明装置を提供することである。
【課題を解決するための手段】
【０００７】
実施形態の照明装置は、発光部と、前記発光部で発生した光を出射する発光面を備えるガラス基板とを有し、壁面に近接して配置される光源と、前記光源の前記発光面と側面とを覆い、前記ガラス基板と組成が異なる部材によって形成される凹凸形状のカバー部材と、を具備し、前記発光部で発生し、前記ガラス基板を前記発光面に沿う方向に導光して前記カバー部材に入光し、当該カバー部材から出射する光と、前記ガラス基板の前記発光面を出射して前記カバー部材を前記発光面に沿う方向に導光して当該カバー部材から出射する光とが、前記壁面に照射される。
【発明の効果】
【０００８】
本発明によれば、光の放射範囲を広げることができる。
【図面の簡単な説明】
【０００９】
【図１】図１は、実施形態に係る照明装置の断面図である。
【図２】図２は、ＯＬＥＤパネルの詳細断面図である。
【図３】図３は、図１に示すＡ矢視図である。
【図４】図４は、図１に示すＢ矢視図である。
【図５】図５は、実施形態に係る照明装置の作用を説明するための模式図である。
【図６】図６は、変形例に係るＯＬＥＤパネルの詳細断面図である。
【図７】図７は、変形例に係る照明装置の作用を説明するための模式図である。
【発明を実施するための形態】
【００１０】
以下で説明する実施形態に係る照明装置１は、発光部と、発光部で発生した光を出射する発光面を備えるガラス基板とを有し、壁面に近接して配置される光源と、光源の発光面と側面とを覆い、ガラス基板と組成が異なる部材によって形成される凹凸形状のカバー部材と、を具備し、発光部で発生し、ガラス基板を発光面に沿う方向に導光してカバー部材に入光し、カバー部材から出射する光と、ガラス基板の発光面を出射してカバー部材を発光面に沿う方向に導光してカバー部材から出射する光とが、壁面に照射される。
【００１１】
また、以下で説明する実施形態に係る照明装置１では、カバー部材は、ガラス基板と透過スペクトルが異なる部材によって形成されてもよい。
【００１２】
また、以下で説明する実施形態に係る照明装置１では、光源は、ガラス基板が白色に着色され、カバー部材は、青色に着色されてもよい。
【００１３】
実施形態に係る照明装置１を図面に基づいて説明する。図１は、実施形態に係る照明装置１の断面図である。本実施形態に係る照明装置１は、壁に掛けられる照明器具の例である。図１に示すように、照明装置１は、取付具１０と、バックパネル１５と、光源１００と、内カバー２００（カバー部材の一例に相当）と、外カバー２０とを具備する。
【００１４】
取付具１０は、照明装置１を取り付ける部品である。例えば、取付具１０は、照明装置１を壁や天井に取り付ける。一例としては、取付具１０は、ボルト及び蝶ナットによって形成される。
【００１５】
バックパネル１５は、平板状のパネルである。また、バックパネル１５は、後述する光源１００を支持する。例えば、バックパネル１５は、複数の取付具１０が溶接されることで壁や天井に取り付けられる。
【００１６】
一例としては、バックパネル１５は、矩形の形状である。なお、バックパネル１５は、矩形に限らず、円形などといった各種の形状であってもよい。また、バックパネル１５の厚みは、例えば、１ｃｍ程度である。
【００１７】
光源１００は、光が放射される発光面１００ａと、発光面１００ａと反対側の非発光面１００ｂとを有する。また、光源１００は、発光面１００ａ及び非発光面１００ｂと交差する側面１００ｃ〜１００ｄを有する。また、光源１００は、壁面に近接して配置される。図１の例では、光源１００は、バックパネル１５上に重ねて設けられている。また、図１の例では、光源１００は、矩形の平板状である。また、光源１００の厚みは、例えば、１．５ｃｍ程度である。このような光源１００は、例えば、ＯＬＥＤパネルである。
【００１８】
ここで、図２を用いてＯＬＥＤパネル１００について詳細に説明する。図２は、ＯＬＥＤパネル１００の詳細断面図である。図２に示すように、ＯＬＥＤパネル１００は、発光部１００Ｅと、ガラス基板３０とを具備する。
【００１９】
発光部１００Ｅは、発光面１００ａと、非発光面１００ｂとを有する。発光面１００ａは、点灯時に発光部１００Ｅから発光された光を放射する。非発光面１００ｂは、発光面１００ａの反対側の面である。また、発光部１００Ｅは、発光面１００ａ及び非発光面１００ｂと交差する側面１００ｉ〜１００ｊを有する。
【００２０】
ガラス基板３０は、発光部１００Ｅで発生した光を出射する発光面１００ａを備える。ガラス基板３０は、発光面１００ａに重ねて接地される接地面３０ａを有する。また、ガラス基板３０は、接地面３０ａの裏側に裏面３０ｂを有する。また、ガラス基板３０は、光を透過する部材によって形成される。例えば、ガラス基板３０は、白色に着色されたガラスによって形成される。図２の例では、ガラス基板３０は、矩形の平板状である。なお、ガラス基板３０は、白色に着色されていない透明なガラス基板であっても良い。
【００２１】
具体的には、発光部１００Ｅは、ガラス基板３０上に、正孔を伝導する陽極２２と、電子を伝導する陰極２３とが配設されており、発光させる部分で、正孔輸送層２４と電子輸送層２５と発光層２６とが積層されることにより形成されている。このうち、正孔輸送層２４は、陽極２２で伝導された正孔を輸送することが可能になっており、陽極２２におけるガラス基板３０側の反対側に積層されている。
【００２２】
また、電子輸送層２５は、陰極２３で伝導された電子を輸送することが可能になっており、正孔輸送層２４における、陽極２２側の反対側に位置している。また、発光層２６は、積層方向において正孔輸送層２４と電子輸送層２５との間に位置しており、正孔輸送層２４で輸送した正孔と、電子輸送層２５で輸送した電子とが発光層２６で結合することにより、発光層２６の発光材料が発光することが可能になっている。
【００２３】
また、陰極２３は、正孔輸送層２４、発光層２６、電子輸送層２５が積層される部分では、ガラス基板３０から離れ、電子輸送層２５における発光層２６側の反対側の面に配設されている。
【００２４】
具体的には、陰極２３は、ガラス基板３０に積層されている部分から離れ、積層されている陽極２２、正孔輸送層２４、発光層２６、電子輸送層２５との間に絶縁部２７を介在させて、電子輸送層２５における発光層２６側の反対側の面にかけて配設されている。これにより、陰極２３は、当該陰極２３で伝導する電子を、電子輸送層２５のみに対して受け渡すことが可能になっている。
【００２５】
このように、ガラス基板３０における一方の面に配設される陽極２２や陰極２３、正孔輸送層２４、発光層２６、電子輸送層２５が積層される側の面には、これらが配設された状態で、封止ガラス３１が配設され、封止部材３２により支持されている。例えば、封止ガラス３１は、ガラス基板３０と同様にガラス材料によって形成される等、光を透過する材料によって板状に形成されている。
【００２６】
また、封止部材３２も同様に光を透過する材料からなり、ガラス基板３０における陽極２２や陰極２３等が配設されている側の面に、封止部材３２を介在させて封止ガラス３１を重ねることにより、ガラス基板３０側に対して封止ガラス３１を支持する部材になっている。
【００２７】
陽極２２や陰極２３等が配設されたガラス基板３０は、封止部材３２を介して封止ガラス３１を配設し、さらに双方の間に光を透過する封止剤３４を封入することにより、ガラス基板３０における各部材が配設された側の面を封止する。
【００２８】
このように形成されるＯＬＥＤパネル１００は、ガラス基板３０側と封止ガラス３１側とのうち、ガラス基板３０側が、ＯＬＥＤパネル１００の点灯時に光を照射する発光面１００ａになっている。即ち、ＯＬＥＤパネル１００は、ガラス基板３０における、陽極２２等が配設される側の反対側の面が、発光面１００ａになっている。
【００２９】
言い換えると、発光面１００ａは、非発光面１００ｂの裏側の面である。ＯＬＥＤパネル１００は、発光面１００ａが下方側に面し、封止ガラス３１側が連通孔内に位置する向きで、連通孔の一端側に配設されている。
【００３０】
また、ＯＬＥＤパネル１００を構成する部材のうち、陽極２２は、透明導電膜であるＩＴＯ電極が用いられている。また、正孔輸送層２４、発光層２６、電子輸送層２５も、光を透過する材料によって形成される。また、正孔輸送層２４、発光層２６、電子輸送層２５は、薄膜である。
【００３１】
これにより、正孔輸送層２４、発光層２６、電子輸送層２５は、光を透過することが可能になっている。一方、陰極２３はアルミニウムや銀等の、電気伝導率が高く、光を透過せずに反射する高反射部材により形成されている。
【００３２】
これにより、ＯＬＥＤパネル１００は、ガラス基板３０を透過して発光面１００ａから光を放射する。具体的には、ＯＬＥＤパネル１００は、点灯時に、発光層２６から発せられた光を、正孔輸送層２４、陽極２２およびガラス基板３０を透過して発光面１００ａから放射する。
【００３３】
内カバー２００は、光源１００の発光面１００ａと側面１００ｃ〜ｄとを覆う。言い換えると、内カバー２００は、ガラス基板３０の接地面３０ａの裏側の裏面３０ｂと、ガラス基板３０の発光面１００ａと交差する光源１００の側面１００ｃ〜１００ｄとを覆う。図１の例では、内カバー２００は、光源１００のうち、光が放射される発光面１００ａと、側面１００ｃ〜１００ｄとを覆うように設けられている。
【００３４】
また、内カバー２００は、ガラス基板３０と組成が異なる部材によって形成される。例えば、内カバー２００は、カラス基板３０と透過スペクトルが異なる部材によって形成される。一例としては、内カバー２００は、透明アクリルによって形成される。
【００３５】
また、内カバー２００は、例えば、光源１００のガラス基板３０が白色に着色されている場合に、青色に着色された部材によって形成される。いわゆる青板ガラス（ソーダガラス）である。また、内カバー２００は、凹凸形状である。すなわち、内カバー２００は、散乱性を有する。例えば、内カバー２００の表面は、シボ塗装によって凹凸に加工された形状である。
【００３６】
内カバー２００の側面は、透明で光沢のあるガラス色に塗装される。また、図１の例では、内カバー２００は、発光面１００ａと反対側の面が球面である。例えば、内カバー２００は、直径２０００ｃｍの球面状に湾曲している。また、内カバーの厚みは、例えば、４ｃｍ程度である。
【００３７】
外カバー２０は、内カバー２００を保護するカバーである。図１の例では、外カバー２０は、内カバー２００を覆うように設けられている。このため、外カバー２０は、例えば、内カバー２００と同様な球面の形状である。外カバー２０の表面は、例えば、透明梨地塗装によって加工される。なお、外カバー２０は必須なものではなく、光を散乱する層であればよい。したがって、例えば内カバー２００の表面に、フロスト加工して散乱凹凸面を形成すれば、外カバー２０は省略できる。
【００３８】
図３は、図１に示すＡ矢視図である。すなわち、図３は、照明装置１を外カバー２０側から見た図である。図３の例では、外カバー２０は、内カバー２００の上面全体を覆うように設けられている。
【００３９】
図４は、図１に示すＢ矢視図である。すなわち、図４は、照明装置１をバックパネル１０側から見た図である。図４の例では、バックパネル１５は、２個の取付具１０が溶接されている。
【００４０】
また、図４の例では、バックパネル１５は、図示しない光源１００に給電する電線を配置するための空間であるＵ字切欠きＳＰ１を有する。これにより、バックパネル１５は、配線による厚みを抑えることができるので、ＯＬＥＤパネル１００の薄さを損なわずに活かすことができる。内カバー２００は、図４に示すように、バックパネル１５を覆うように設けられる。
【００４１】
続いて、図５を用いて、実施形態に係る照明装置１の作用について詳細に説明する。図５は、実施形態に係る照明装置１の作用を説明するための模式図である。すなわち、図５は、実施形態に係る照明装置１を簡略化して表した概念図である。
【００４２】
図５の例では、発光部１００Ｅは、ガラス基板３０を発光面１００ａに沿う方向に導光してカバー部材２００に入光しカバー部材２００から出射する光Ｌ１を出射する。また、発光部１００Ｅは、ガラス基板３０の発光面１００ａを出射してカバー部材２００を発光面１００ａに沿う方向に導光してカバー部材２００から出射する光Ｌ２を出射する。これにより、発光部１００Ｅは、壁面に照射される光Ｌ１及び光Ｌ２を出射する。また、図５の例では、ガラス基板３０の端面から出射する光は白色ないし青白い色である。内カバー２００は、青色に着色されているものとする。この場合、発光部１００Ｅから発せられた光のうち光Ｌ１は、白色ないし青白い色である。また、発光部１００Ｅから発せられた光のうち光Ｌ２は、緑系の色である。また、発光部１００Ｅから発せられた光のうち、ガラス基板３０、内カバー２００、外カバー２０の順に透過した光Ｌ３は、例えば、光Ｌ２より薄い緑系の色である。
【００４３】
これにより、照明装置１は、壁面付近に光を照射することができるので、光の放射範囲を広げることができる。一般的に、照明装置は、壁面に照射される光の量が少ないので、外周部付近は暗くなる。しかしながら、本実施形態に係る照明装置１は、壁面付近に多くの光を照射することができるので、外周部にも光をまわすことができる。このため、照明装置１は、外周部付近の明るさを増すことができる。
【００４４】
また、照明装置１は、ガラス基板３０とカバー部材２００との組成や透過スペクトルが異なるので、光のグラデーションを作ることができる。例えば、本実施の形態では、光Ｌ１は照明装置１から離れた壁面まで届き、光Ｌ２、光Ｌ３は照明装置１近傍の壁面までしか届かない。このためこれらの光の混色により、照明装置１の外側になるにつれて濃い色から薄い色（例えば、緑色から白色）へと変化するグラデーションを壁面に作ることができる。このため、照明装置１は、明かりの表情を作ることができる。
【００４５】
なお、上述した照明装置１では、光源１００が矩形の形状である例を示した。しかし、光源１００は、矩形の形状に限らず、各種の形状であってもよい。例えば、光源１００は、円形の形状であってもよい。
【００４６】
また、照明装置１のＯＬＥＤパネル１００は、枠部材１００Ｆをさらに具備してもよい。この点について、図６及び図７を用いて説明する。図６は、変形例に係るＯＬＥＤパネル１１０の詳細断面図である。図６に示すように、変形例に係るＯＬＥＤパネル１１０は、図２に示すＯＬＥＤパネル１００と比較して、枠部材１００Ｆをさらに備える。また、図６の例では、発光部１００Ｅは、放射面１００ｇと、非放射面１００ｈとを有する。放射面１００ｇは、点灯時に発光部１００Ｅから発光された光を放射する。非放射面１００ｈは、放射面１００ｇの反対側の面である。また、発光部１００Ｅは、放射面１００ｇ及び非放射面１００ｈと交差する側面１００ｉ〜１００ｊを有する。枠部材１００Ｆは、少なくとも発光部１００Ｅの放射面１００ｇと交差するガラス基板３０の側面３０ｃ〜３０ｄを覆う。図６の例では、枠部材１００Ｆは、ガラス基板３０の側面３０ｃ〜３０ｄと、発光部１００Ｅの側面１００ｉ〜１００ｊとを覆うように設けられている。また、枠部材１００Ｆは、光を透過する部材によって形成される。
【００４７】
図７は、変形例に係る照明装置２の作用を説明するための模式図である。図７の例では、ガラス基板３０の端面から出射する光は白色ないし青白い色である。内カバー２００は、青色に着色されている。この場合、発光部１００Ｅから発せられた光のうち、ガラス基板３０、枠部材１００Ｆ、内カバー２００の順に透過した光Ｌ１１は、白色ないし青白い色である。また、発光部１００Ｅから発せられた光のうち、ガラス基板３０、内カバー２００の順に透過した光Ｌ１２は、緑系の色である。また、発光部１００Ｅから発せられた光のうち、ガラス基板３０、内カバー２００、外カバー２０の順に透過した光Ｌ１３は、例えば、光Ｌ１２より薄い緑系の色である。
【００４８】
これにより、照明装置２は、光を発しない枠部材１００Ｆから光を放出することができるので、光の放射範囲を広げることができる。一般的に、照明装置は、枠部材から光を放出しないので、外周部付近は暗くなる。しかしながら、変形例に係る照明装置１は、枠部材１００Ｆから光を放射することができるので、枠部材１００Ｆ付近にも光をまわすことができる。このため、照明装置２は、枠部材１００Ｆの面積を人の目には小さく見せることができるので、外周部付近の明るさを増すことができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５０】
１  照明装置
１０  取付具
１５  バックパネル
２０  外カバー
３０  ガラス基板
３０ａ  接地面
３０ｂ  裏面
３０ｃ〜ｄ  側面
１００  光源
１００ａ  発光面
１００ｂ  非発光面
１００ｃ〜ｄ  側面
１００Ｅ  発光部
１００ｇ  放射面
１００ｈ  非放射面
１００Ｆ  枠部材
２００  内カバー
【図１】
2016066489.tif 000003
【図２】
2016066489.tif 000004
【図３】
2016066489.tif 000005
【図４】
2016066489.tif 000006
【図５】
2016066489.tif 000007
【図６】
2016066489.tif 000008
【図７】
2016066489.tif 000009